(57)【要約】【課題】所望の調光カーブからの調光レベルのズレを低減させ且つ光のちらつきを低減させた点灯装置及びそれを用いた照明器具、照明システムを提供する。【解決手段】制御回路１３は、固体光源２２に流す電流を増減させることで固体光源２２の明るさを制御する第１調光方式と、固体光源２２に電流を流す期間と固体光源２２に電流を流さない期間の比率を変化させることで固体光源２２の明るさを制御する第２調光方式を併用した調光制御を行う。そして、制御回路１３は、調光信号Ｓ１の設定値が変化しない安定点灯時には、第１調光方式の調光レベルの変更周期と第２調光方式の調光レベルの変更周期を同一周期とし、調光信号Ｓ１の設定値が変化した場合には、第１調光方式において調光レベルの変更周期を安定点灯時よりも短くし、且つ調光レベルの変化量を、調光レベルの変更周期を短くしない場合における１回あたりの調光レベルの変化量よりも小さくする。【選択図】図１
2014232603.tif 000002
【特許請求の範囲】
【請求項１】
電源と固体光源の間に接続されるスイッチング回路と、外部からの調光信号に応じて前記スイッチング回路を制御する制御回路とを備え、
前記制御回路は、前記固体光源に流す電流を増減させることで前記固体光源の明るさを制御する第１調光方式と、前記固体光源に電流を流す期間と前記固体光源に電流を流さない期間の比率を変化させることで前記固体光源の明るさを制御する第２調光方式を併用した調光制御を行い、前記第１調光方式の調光レベルの変更周期と前記第２調光方式の調光レベルの変更周期とを同期させており、
前記制御回路は、前記調光信号の設定値が変化しない安定点灯時には、前記第１調光方式の調光レベルの変更周期と、前記第２調光方式の調光レベルの変更周期を同一周期とし、前記調光信号に応じた調光レベルで前記固体光源を点灯させ、
前記調光信号の設定値が変化した場合には、前記第１調光方式と前記第２調光方式の少なくとも一方において調光レベルの変更周期を前記安定点灯時よりも短くし、且つ調光レベルの変化量を、調光レベルの変更周期を短くしない場合における１回あたりの調光レベルの変化量よりも小さくすることを特徴とする点灯装置。
【請求項２】
前記制御回路は、前記調光信号の設定値の変化量が所定値よりも小さい場合には、前記第１調光方式と前記第２調光方式のそれぞれにおいて、調光レベルの変化量を、調光レベルの変更周期を短くしない場合における１回あたりの調光レベルの変化量よりも小さくすることを特徴とする請求項１記載の点灯装置。
【請求項３】
前記制御回路は、前記第１調光方式と前記第２調光方式のうち調光レベルの変化量を他方よりも小さく設定可能な一方において調光レベルの変更周期を前記安定点灯時よりも短くし、且つ調光レベルの変化量を、調光レベルの変更周期を短くしない場合における１回あたりの調光レベルの変化量よりも小さくすることを特徴とする請求項１記載の点灯装置。
【請求項４】
請求項１〜３の何れか１項に記載の点灯装置を備えていることを特徴とする照明器具。
【請求項５】
請求項１〜３の何れか１項に記載の点灯装置を備えていることを特徴とする照明システム。
【発明の詳細な説明】
【技術分野】
【０００１】
本発明は、点灯装置及びそれを用いた照明器具、照明システムに関するものである。
【背景技術】
【０００２】
従来より、調光器から出力される調光信号（ＰＷＭ信号）に応じて固体光源（例えばＬＥＤや有機ＥＬ）を調光点灯させる点灯装置が提供されている（例えば特許文献１参照）。この点灯装置は、スイッチング素子とインダクタの直列回路を有し固体光源に対して直流電流を供給する電源回路部と、電源回路部のスイッチング素子のオン／オフを制御することで固体光源に流れる電流量を調整する電流制御部とを備える。
【０００３】
電流制御部は、第１制御部と第２制御部とを有し、第１制御部は、スイッチング素子のオン幅を変化させることで固体光源に流す電流を増減させ、上記電流に応じた調光レベルで固体光源を点灯させる（ＤＣ調光）。また、第２制御部は、スイッチング素子をオン／オフさせる動作期間とスイッチング素子を停止させる停止期間を設定し、一周期における動作期間と停止期間の幅を変化させており、動作期間の幅に応じた調光レベルで固体光源を点灯させる（バースト調光）。
【０００４】
この点灯装置では、ＤＣ調光とバースト調光を併用した調光方式を採用しており、この場合の調光比は、ＤＣ調光の調光比とバースト調光の調光比を乗じた値となる。
【先行技術文献】
【特許文献】
【０００５】
【特許文献１】特開２０１２−２０４０２６号公報
【発明の概要】
【発明が解決しようとする課題】
【０００６】
上述の特許文献１に示した点灯装置では、ＤＣ調光とバースト調光を同期させていない場合には調光レベルが所望の調光カーブから大きくズレる可能性があった。また、ＤＣ調光とバースト調光を同期させた場合でも、フェード時に光のちらつきが生じる可能性があった。
【０００７】
本発明は上記問題点に鑑みて為されたものであり、その目的とするところは、所望の調光カーブからの調光レベルのズレを低減させ且つ光のちらつきを低減させた点灯装置及びそれを用いた照明器具、照明システムを提供することにある。
【課題を解決するための手段】
【０００８】
本発明の点灯装置は、電源と固体光源の間に接続されるスイッチング回路と、外部からの調光信号に応じてスイッチング回路を制御する制御回路とを備え、制御回路は、固体光源に流す電流を増減させることで固体光源の明るさを制御する第１調光方式と、固体光源に電流を流す期間と固体光源に電流を流さない期間の比率を変化させることで固体光源の明るさを制御する第２調光方式を併用した調光制御を行い、第１調光方式の調光レベルの変更周期と第２調光方式の調光レベルの変更周期とを同期させており、制御回路は、調光信号の設定値が変化しない安定点灯時には、第１調光方式の調光レベルの変更周期と、第２調光方式の調光レベルの変更周期を同一周期とし、調光信号に応じた調光レベルで固体光源を点灯させ、調光信号の設定値が変化した場合には、第１調光方式と第２調光方式の少なくとも一方において調光レベルの変更周期を安定点灯時よりも短くし、且つ調光レベルの変化量を、調光レベルの変更周期を短くしない場合における１回あたりの調光レベルの変化量よりも小さくすることを特徴とする。
【０００９】
この点灯装置において、制御回路は、調光信号の設定値の変化量が所定値よりも小さい場合には、第１調光方式と第２調光方式のそれぞれにおいて、調光レベルの変化量を、調光レベルの変更周期を短くしない場合における１回あたりの調光レベルの変化量よりも小さくするのが好ましい。
【００１０】
また、この点灯装置において、制御回路は、第１調光方式と第２調光方式のうち調光レベルの変化量を他方よりも小さく設定可能な一方において調光レベルの変更周期を安定点灯時よりも短くし、且つ調光レベルの変化量を、調光レベルの変更周期を短くしない場合における１回あたりの調光レベルの変化量よりも小さくするのも好ましい。
【００１１】
本発明の照明器具は、上記の点灯装置を備えていることを特徴とする。
【００１２】
本発明の照明システムは、上記の点灯装置を備えていることを特徴とする。
【発明の効果】
【００１３】
調光レベルの変化途中では、第１調光方式と第２調光方式の少なくとも一方において調光レベルの変更周期を安定点灯時よりも短くし、且つ調光レベルの変化量を、調光レベルの変更周期を短くしない場合における１回あたりの調光レベルの変化量よりも小さくしている。その結果、所望の調光カーブからの調光レベルのズレを低減できるとともに、光のちらつきを低減できるという効果がある。
【図面の簡単な説明】
【００１４】
【図１】実施形態１の点灯装置の一例を示す概略回路図である。
【図２】同上における調光信号のオンデューティと調光比の関係を示すグラフである。
【図３】（ａ）は同上における安定点灯時の調光レベルの変更周期を示す模式図、（ｂ）は同上における調光レベル変化時の調光レベルの変更周期を示す模式図である。
【図４】（ａ）は同上におけるＤＣ調光の調光レベルの変化図、（ｂ）は同上におけるバースト調光の調光レベルの変化図、（ｃ）は同上におけるＤＣ調光とバースト調光を併用した場合の調光レベルの変化図である。
【図５】（ａ）は実施形態２の点灯装置における安定点灯時の調光レベルの変更周期を示す模式図、（ｂ）は同上における調光レベル変化時の調光レベルの変更周期を示す模式図である。
【図６】（ａ）は同上におけるＤＣ調光の調光レベルの変化図、（ｂ）は同上におけるバースト調光の調光レベルの変化図、（ｃ）は同上におけるＤＣ調光とバースト調光を併用した場合の調光レベルの変化図である。
【図７】（ａ）、（ｂ）は実施形態１又は２の点灯装置を用いた照明器具の一例を示す断面図である。
【発明を実施するための形態】
【００１５】
以下に、点灯装置及びそれを用いた照明器具、照明システムの実施形態について図面を参照しながら説明する。
【００１６】
（実施形態１）
図１は本実施形態の点灯装置１の一例を示す概略回路図である。この点灯装置１は、直流電源回路１０と、昇圧チョッパー回路１１と、降圧チョッパー回路１２と、制御回路１３とを備え、調光信号発生装置７より出力される調光信号Ｓ１に応じた調光レベルで固体光源２２を点灯させる。なお、以下の説明では固体光源２２としてＬＥＤ（発光ダイオード）を用いるが、固体光源２２はＬＥＤに限定されるものではなく、例えば有機ＥＬであってもよい。
【００１７】
直流電源回路１０は、電源電圧に含まれるノイズ成分を減衰させる入力フィルタ１０２と、交流電源１０１より供給される交流電圧を直流電圧に整流する整流回路１０３とを具備する。なお、入力フィルタ１０２及び整流回路１０３は従来周知の構成であり、ここでは詳細な説明を省略する。
【００１８】
昇圧チョッパー回路１１は、ｎ型のＭＯＳＦＥＴからなるスイッチング素子Ｑ１と、１次巻線Ｎ１及び２次巻線Ｎ２を有するトランスＴ１と、ダイオードＤ１と、平滑コンデンサＣ１と、抵抗Ｒ１とを具備する。
【００１９】
トランスＴ１の１次巻線Ｎ１は、一端側が整流回路１０３の高電位側の出力端に接続され、他端側がスイッチング素子Ｑ１のドレインに接続されている。また、トランスＴ１の２次巻線Ｎ２は、後述の第２制御部１３３に接続され、１次巻線Ｎ１に流れる電流を検出する検出回路として機能する。
【００２０】
スイッチング素子Ｑ１のソースは、抵抗Ｒ１を介して整流回路１０３の低電位側の出力端に接続され、またスイッチング素子Ｑ１のゲートは第２制御部１３３に接続されている。さらに、スイッチング素子Ｑ１のソースと抵抗Ｒ１の接続点は第２制御部１３３に接続され、スイッチング素子Ｑ１のオン期間においてスイッチング素子Ｑ１に流れる電流に応じた電圧が第２制御部１３３に入力される。
【００２１】
昇圧チョッパー回路１１の出力端間には平滑コンデンサＣ１が接続され、この平滑コンデンサＣ１は、トランスＴ１の１次巻線Ｎ１を介して供給される直流電力を平滑し、平滑した直流電力を降圧チョッパー回路１２へ出力する。また、スイッチング素子Ｑ１のドレインと平滑コンデンサＣ１の間には、アノードがドレイン側、カソードが平滑コンデンサＣ１側となる向きでダイオードＤ１が接続されている。
【００２２】
降圧チョッパー回路１２は、ｎ型のＭＯＳＦＥＴからなるスイッチング素子Ｑ２と、１次巻線Ｎ３及び２次巻線Ｎ４を有するトランスＴ２と、ダイオードＤ２と、平滑コンデンサＣ２と、抵抗Ｒ２とを具備する。
【００２３】
トランスＴ２の１次巻線Ｎ３は、一端側がスイッチング素子Ｑ２のドレインに接続され、他端側が固体光源２２のカソードに接続されている。また、トランスＴ２の２次巻線Ｎ４は、後述の第１制御部１３２に接続され、１次巻線Ｎ３に流れる電流を検出する検出回路として機能する。なお、固体光源２２のアノードは、昇圧チョッパー回路１１の高電位側の出力端に接続されている。
【００２４】
スイッチング素子Ｑ２のソースは、抵抗Ｒ２を介して昇圧チョッパー回路１１の低電圧側の出力端に接続され、またスイッチング素子Ｑ２のゲートは第１制御部１３２に接続されている。さらに、スイッチング素子Ｑ２のソースと抵抗Ｒ２の接続点は第１制御部１３２に接続され、スイッチング素子Ｑ２のオン期間においてスイッチング素子Ｑ２に流れる電流に応じた電圧が第１制御部１３２に入力される。
【００２５】
降圧チョッパー回路１２の出力端間には平滑コンデンサＣ２が接続され、この平滑コンデンサＣ２は、トランスＴ２の１次巻線Ｎ３を介して供給される直流電力を平滑し、平滑した直流電力を固体光源２２へ出力する。また、スイッチング素子Ｑ２のドレインと昇圧チョッパー回路１１の高電位側の出力端の間には、アノードがドレイン側、カソードが上記出力端側となる向きでダイオードＤ２が接続されている。
【００２６】
ここに本実施形態では、昇圧チョッパー回路１１及び降圧チョッパー回路１２によりスイッチング回路が構成されている。
【００２７】
制御回路１３は、マイコン１３１と、第１制御部１３２と、第２制御部１３３と、信号変換部１３４とを具備し、調光信号発生装置７より出力される調光信号Ｓ１に従って降圧チョッパー回路１２の動作を制御する。
【００２８】
信号変換部１３４は、調光信号発生装置７より出力される調光信号Ｓ１（ＰＷＭ信号）をオンデューティ幅に応じた直流電圧に変換し、マイコン１３１のＡ／Ｄ変換ポートへ出力する。
【００２９】
マイコン１３１（例えば、ルネサスエレクトロニクス（株）のＲ８Ｃ／２８，２９グループ）は、調光信号のオンデューティと調光レベル（調光比）の関係を示すデータテーブルを有している。
【００３０】
図２は上記データテーブルの一例を示すグラフであり、図２中の直線ｃは、固体光源２２に流す電流を増減させることで固体光源２２の明るさを制御するＤＣ調光（第１調光方式）における調光信号のオンデューティと調光比の関係を示している。
【００３１】
図２中の曲線ｂは、固体光源２２に電流を流す期間と固体光源２２に電流を流さない期間の比率を変化させることで固体光源２２の明るさを制御するバースト調光（第２調光方式）における調光信号のオンデューティと調光比の関係を示している。
【００３２】
図２中の曲線ａは、ＤＣ調光とバースト調光を併用した調光方式における調光信号のオンデューティと調光比の関係を示しており、この場合の調光比は、ＤＣ調光の調光比とバースト調光の調光比を乗じた値となる。
【００３３】
マイコン１３１は、調光信号発生装置７より出力される調光信号Ｓ１のオンデューティに応じた調光比を求めた後、この調光比に対応するＤＣ調光の調光比及びバースト調光の調光比を上記データテーブルから求める。そして、マイコン１３１は、ＤＣ調光の調光比に応じたオンデューティの調光信号Ｓ２及びバースト調光の調光比に応じたオンデューティの調光信号Ｓ３を生成し、生成した調光信号Ｓ２，Ｓ３を第１制御部１３２へ出力する。
【００３４】
ここにおいて、マイコン１３１は、内蔵する１６ビットタイマを使用して調光信号Ｓ２を出力し、また８ビットタイマを使用して調光信号Ｓ３を出力する。
【００３５】
第２制御部１３３は、トランスＴ１の１次巻線Ｎ１に流れる電流を２次巻線Ｎ２により検出し、検出した上記電流の電流値がゼロになるタイミングでスイッチング素子Ｑ１をオンにするオン信号を出力する（臨界モード）。また、第２制御部１３３は、スイッチング素子Ｑ１のオン期間においてスイッチング素子Ｑ１に流れる電流を検出し、検出した上記電流の電流値が所定の第１基準値に達するタイミングでスイッチング素子Ｑ１をオフにするオフ信号を出力する。
【００３６】
そして、第２制御部１３３は、上記オン／オフ信号を所定のタイミングで交互に出力することによって、昇圧チョッパー回路１１の出力電圧が所定電圧となるように制御する。
【００３７】
第１制御部１３２は、トランスＴ２の１次巻線Ｎ３に流れる電流を２次巻線Ｎ４により検出し、検出した上記電流の電流値がゼロになるタイミングでスイッチング素子Ｑ２をオンにするオン信号を出力する（臨界モード）。また、第１制御部１３２は、スイッチング素子Ｑ２のオン期間においてスイッチング素子Ｑ２に流れる電流を検出し、検出した上記電流の電流値が所定の第２基準値に達するタイミングでスイッチング素子Ｑ２をオフにするオフ信号を出力する。
【００３８】
そして、第１制御部１３２は、上記オン／オフ信号を所定のタイミングで交互に出力することによって、固体光源２２に流す電流が所定電流となるように制御する。
【００３９】
また、第１制御部１３２は、マイコン１３１より出力される調光信号Ｓ２に基づいて上記第２基準値を設定し、さらに調光信号Ｓ３に基づいてスイッチング素子Ｑ２をオン／オフさせる動作期間と停止させる停止期間を設定する。そして、第１制御部１３２は、上記動作期間において上記第２基準値に基づいてスイッチング素子Ｑ２のオン／オフを制御し、その結果、調光信号Ｓ２，Ｓ３に応じた調光レベルで固体光源２２が点灯する。
【００４０】
上述の点灯装置１において、ＤＣ調光の調光レベルの変更周期とバースト調光の調光レベルの変更周期を同一周期とした場合、ＤＣ調光の調光レベルは図４（ａ）中の破線ｅのように変化し、バースト調光の調光レベルは図４（ｂ）中の実線ｆのように変化する。そして、ＤＣ調光とバースト調光を併用した調光方式では、調光レベルが図４（ｃ）中の破線ｈのように変化するため、調光レベルが上記調光カーブから大きくズレてしまう。ここに上記調光カーブとは、調光レベルをアナログ的に変化させた調光カーブのことをいう。
【００４１】
本実施形態では、ＤＣ調光とバースト調光を併用した場合において上記調光カーブからの調光レベルのズレが小さくなるように、ＤＣ調光の調光レベルの変更周期及び変化量、並びに、バースト調光の調光レベルの変更周期及び変化量を以下のように設定している。なお、ＤＣ調光の調光レベルの最小変更周期Ｔ１は、バースト調光の調光レベルの最小変更周期Ｔ２の１／５となっている。
【００４２】
調光レベル（調光信号Ｓ１の設定値）が変化しない安定点灯時では、図３（ａ）に示すように、ＤＣ調光の調光レベルの変更周期Ｔ３を最小変更周期Ｔ１の１０周期分とし、バースト調光の調光レベルの変更周期Ｔ４を最小変更周期Ｔ２の２周期分とする。つまりこの場合、ＤＣ調光の調光レベルの変更周期Ｔ３とバースト調光の調光レベルの変更周期Ｔ４を同一周期としている。
【００４３】
また、ＤＣ調光の調光レベルの変化量及びバースト調光の調光レベルの変化量については、調光信号Ｓ１のオンデューティに対して、調光レベル（調光比）が上記調光カーブ上の値となるように、上記データテーブルを参照することで求められる。
【００４４】
調光レベル（調光信号Ｓ１の設定値）が変化する場合には、図３（ｂ）に示すように、ＤＣ調光の調光レベルの変更周期Ｔ３を最小変更周期Ｔ１の２周期分とし、バースト調光の調光レベルの変更周期Ｔ４を最小変更周期Ｔ２の２周期分とする。つまりこの場合、ＤＣ調光の調光レベルの変更周期Ｔ３を安定点灯時の１／５とし、且つ、ＤＣ調光の調光レベルの変更周期Ｔ３とバースト調光の調光レベルの変更周期Ｔ４を同期させている。
【００４５】
また、ＤＣ調光の調光レベルの変化量については、調光レベルの変更周期を短くしない場合における１回あたりの調光レベルの変化量の１／５としている。つまりこの場合、ＤＣ調光の調光レベルの変更周期Ｔ３を安定点灯時よりも短くし、且つ、ＤＣ調光の調光レベルの変化量を、調光レベルの変更周期を短くしない場合における１回あたりの調光レベルの変化量よりも小さくしている。
【００４６】
そして、ＤＣ調光では、図４（ａ）の実線ｄに示すように、変更周期Ｔ３が経過するタイミングで調光レベルが階段状に低下していき、変更周期Ｔ３の１５周期分の時間が経過する時刻ｔ３のときに安定点灯時の調光レベルとなる。また、バースト調光では、図４（ｂ）中の実線ｆに示すように、変更周期Ｔ４が経過するタイミングで調光レベルが階段状に低下していき、変更周期Ｔ４の２周期分が経過する時刻ｔ２（ｔ２＜ｔ３）のときに安定点灯時の調光レベルとなる。
【００４７】
その結果、ＤＣ調光とバースト調光を併用する調光方式では、図４（ｃ）中の実線ｇに示すように、ＤＣ調光の変更周期Ｔ３が経過するタイミングで調光レベルが階段状に低下していき、時刻ｔ３のときに安定点灯時の調光レベルとなる。これにより、ＤＣ調光の調光レベルの変更周期Ｔ３とバースト調光の調光レベルの変更周期Ｔ４を同一周期とした場合に比べて、上記調光カーブからの調光レベルのズレを低減することができる。
【００４８】
なお、図４（ａ）〜図４（ｃ）中の時刻ｔ１以前の区間及び時刻ｔ３以降の区間は、固体光源２２が安定点灯する区間である。
【００４９】
本実施形態によれば、調光レベルの変化途中では、ＤＣ調光の調光レベルの変更周期を安定点灯時よりも短くし、且つ、ＤＣ調光の調光レベルの変化量を、調光レベルの変更周期を短くしない場合における１回あたりの調光レベルの変化量よりも小さくしている。その結果、所望の調光カーブからの調光レベルのズレを低減できるとともに、光のちらつきを低減できる。
【００５０】
ここで、バースト調光よりもＤＣ調光の方が調光レベルの変化量を小さく設定できる場合には、ＤＣ調光において調光レベルの変更周期及び変化量を変更すればよい。また、ＤＣ調光よりもバースト調光の方が調光レベルの変化量を小さく設定できる場合には、バースト調光において調光レベルの変更周期及び変化量を変更すればよい。
【００５１】
これにより、調光レベルをさらに小刻みに変化させることができるので、上記調光カーブからの調光レベルのズレをさらに低減することができる。また、ＤＣ調光とバースト調光のそれぞれにおいて調光レベルの変化量を小さくする場合に比べて、制御の簡素化を図ることもできる。
【００５２】
なお本実施形態では、交流電源１０１より供給される交流電圧を所望の直流電圧に変換する直流電源回路１０を用いたが、昇圧チョッパー回路１１に対して直流電源を接続してもよく、本実施形態に限定されない。また本実施形態では、スイッチング回路として昇圧チョッパー回路１１と降圧チョッパー回路１２の両方を用いたが、昇圧チョッパー回路１１については省略してもよい。
【００５３】
さらに本実施形態では、固体光源２２に流す電流を制御するための回路として降圧チョッパー回路１２を用いたが、昇圧チョッパー回路や昇降圧チョッパー回路、フライバックコンバータ回路などを用いてもよく、本実施形態に限定されない。
【００５４】
（実施形態２）
点灯装置の実施形態２について図５及び図６を参照しながら説明する。実施形態１では、ＤＣ調光の調光レベルの変更周期及び変化量のみを変更したが、調光レベル（調光信号Ｓ１の設定値）の変化量が所定値よりも小さい場合、ＤＣ調光とバースト調光のそれぞれにおいて調光レベルの変更周期及び変化量を変更するのが好ましい。以下、具体的に説明する。なお、点灯装置１の回路構成については実施形態１と同様であり、ここでは説明を省略する。また、ＤＣ調光の調光レベルの最小変更周期Ｔ１はバースト調光の調光レベルの最小変更周期Ｔ２の１／５となっている。
【００５５】
調光レベル（調光信号Ｓ１の設定値）が変化しない安定点灯時では、図５（ａ）に示すように、ＤＣ調光の調光レベルの変更周期Ｔ３を最小変更周期Ｔ１の１０周期分とし、バースト調光の調光レベルの変更周期Ｔ４を最小変更周期Ｔ２の２周期分とする。つまりこの場合、ＤＣ調光の調光レベルの変更周期Ｔ３とバースト調光の調光レベルの変更周期Ｔ４とを同一周期としている。
【００５６】
また、ＤＣ調光の調光レベルの変化量及びバースト調光の調光レベルの変化量については、調光信号Ｓ１のオンデューティに対して、調光レベル（調光比）が上記調光カーブ上の値となるように、上記データテーブルを参照することで求められる。
【００５７】
調光レベル（調光信号Ｓ１の設定値）が変化する場合には、図５（ｂ）に示すように、ＤＣ調光の調光レベルの変更周期Ｔ３を最小変更周期Ｔ１の２周期分とし、バースト調光の調光レベルの変更周期Ｔ４を最小変更周期Ｔ２の１周期分とする。つまりこの場合、ＤＣ調光の調光レベルの変更周期Ｔ３を安定点灯時の１／５とし、バースト調光の調光レベルの変更周期Ｔ４を安定点灯時の１／２とし、さらにＤＣ調光の調光レベルの変更周期Ｔ３とバースト調光の調光レベルの変更周期Ｔ４を同期させている。
【００５８】
また、ＤＣ調光の調光レベルの変化量については、調光レベルの変更周期を短くしない場合における１回あたりの調光レベルの変化量の１／５としている。さらに、バースト調光の調光レベルの変化量については、調光レベルの変更周期を短くしない場合における１回あたりの調光レベルの変化量の１／２としている。つまりこの場合、ＤＣ調光とバースト調光のそれぞれにおいて調光レベルの変更周期を安定点灯時よりも短くし、且つ、調光レベルの変化量を、調光レベルの変更周期を短くしない場合における１回あたりの調光レベルの変化量よりも小さくしている。
【００５９】
そして、ＤＣ調光では、図６（ａ）の実線ｊに示すように、変更周期Ｔ３が経過するタイミングで調光レベルが階段状に低下していき、変更周期Ｔ３の１５周期分の時間が経過する時刻ｔ３のときに安定点灯時の調光レベルとなる。また、バースト調光では、図６（ｂ）中の実線ｋに示すように、変更周期Ｔ４が経過するタイミングで調光レベルが階段状に低下していき、変更周期Ｔ４の５周期分が経過する時刻ｔ２（ｔ２＜ｔ３）のときに安定点灯時の調光レベルとなる。
【００６０】
その結果、ＤＣ調光とバースト調光を併用する調光方式では、図６（ｃ）中の実線ｍに示すように、変更周期Ｔ３が経過するタイミング及び変更周期Ｔ４が経過するタイミングで調光レベルが階段状に低下していき、時刻ｔ３のときに安定点灯時の調光レベルとなる。
【００６１】
これにより、ＤＣ調光の調光レベルの変更周期Ｔ３とバースト調光の調光レベルの変更周期Ｔ４を同一周期とした場合に比べて、上記調光カーブからの調光レベルのズレを低減することができる。また、ＤＣ調光とバースト調光の何れか一方において調光レベルの変化量を、調光レベルの変更周期を短くしない場合における１回あたりの調光レベルの変化量よりも小さくする場合に比べて、光のちらつきをさらに低減することができるとともに、設計の自由度を向上させることができる。
【００６２】
（実施形態３）
上述の実施形態１又は２の点灯装置１を用いた照明器具Ａの実施形態について図７を参照しながら説明する。
【００６３】
図７（ａ）は本実施形態の照明器具Ａの一例を示す断面図であり、この照明器具Ａは、点灯装置１と、光源ユニット２と、器具本体３と、透光パネル４とを備え、点灯装置１と器具本体３とが別体に設けられている。
【００６４】
器具本体３は、下面が開口する矩形箱状に形成され、天井材１００に設けられた埋込孔１００ａを通して天井裏に埋込配設される。また、器具本体３の開口面には、矩形板状に形成された透光パネル４が適宜の方法により取り付けられる。
【００６５】
光源ユニット２は、矩形板状に形成された基板２１と、基板２１に実装される複数（図７（ａ）では３個）の固体光源２２とを具備し、基板２１は、固体光源２２が下側となる向きで器具本体３の内部に収納される。また、基板２１は、電線５を介して点灯装置１に電気的に接続されており、点灯装置１より点灯電力が供給される。
【００６６】
図７（ｂ）は照明器具Ａの別の例を示す断面図である。本例では、上述の点灯装置１を器具本体３の内部に収納しており、また光源ユニット２の基板２１の裏面には放熱板６１が取り付けられている。なお、それ以外の構成は図７（ａ）に示す照明器具Ａと同様であるから、ここでは説明を省略する。
【００６７】
本実施形態によれば、照明器具Ａが実施形態１又は２で説明した点灯装置１を備えることによって、所望の調光カーブからの調光レベルのズレを低減させ且つ光のちらつきを低減させた照明器具Ａを提供することができる。
【００６８】
ここに、点灯装置１を備えた照明システムとしては、例えば調光信号発生装置７から出力される調光信号Ｓ１によって複数の照明器具Ａを同時に制御するものが挙げられる。そして、照明システムが実施形態１又は２で説明した点灯装置１を備えることによって、所望の調光カーブからの調光レベルのズレを低減させ且つ光のちらつきを低減させた照明システムを提供することができる。
【符号の説明】
【００６９】
１３  制御回路
２２  固体光源
Ｓ１  調光信号
【図１】
2014232603.tif 000003
【図２】
2014232603.tif 000004
【図３】
2014232603.tif 000005
【図４】
2014232603.tif 000006
【図５】
2014232603.tif 000007
【図６】
2014232603.tif 000008
【図７】
2014232603.tif 000009